(57)【要約】【課題】  体表温度を急速に冷却させることが可能な美容装置を提供することを目的とする。【解決手段】  美容装置１は、ミスト供給口１１と、冷風供給口２１と、温風供給口４１と、ミスト発生装置１３と、冷風発生装置２３と、送風機４３と、ミスト発生装置１３とミスト供給口１１とを接続するミスト供給管と、冷風発生装置２３と冷風供給口２１とを接続する冷風供給管と、送風機４３と温風供給口４１とを接続する供給管とを備える。制御部６０は、ミスト供給口１１にミストを供給するためのミスト発生装置１３と、冷風供給口２１に冷風を供給するための冷風発生装置２３と、ミスト供給口１１内の液滴を吸引するための吸引ポンプ３２と、温風供給口４１に温風を供給するための送風機４３および赤外線ランプヒータ５１とに電気的に接続される。【選択図】        図７
2005058593.tif 000002
【特許請求の範囲】
【請求項１】
冷風を発生する冷風発生機構と、
冷風を装置外部へ供給するための冷風供給口と、
前記冷風発生機構と前記冷風供給口とを接続する冷風供給管と、
ミストを発生するためのミスト発生機構と、
ミストを装置外部へ供給するためのミスト供給口と、
前記ミスト発生機構と前記ミスト供給口とを接続するミスト供給管と、
を備えることを特徴とする美容装置。
【請求項２】
請求項１に記載の美容装置において、
前記冷風供給口と前記ミスト供給口とのいずれか一方は、他方の内部に配置される美容装置。
【請求項３】
請求項２に記載の美容装置において、
前記冷風供給口と前記ミスト供給口のうち外部に配置される供給口の先端は、内部に配置される供給口の先端よりも供給方向に突出して配置される美容装置。
【請求項４】
請求項１に記載の美容装置において、
前記冷風供給口は、前記ミスト供給口内に配置される美容装置。
【請求項５】
請求項２に記載の美容装置において、
前記ミスト供給口の内壁面と前記冷風供給口の内壁面とは、略同芯状に配置されるとともに、
前記ミスト供給口の先端は、前記冷風供給口の先端よりも冷風の供給方向に突出して配置される美容装置。
【請求項６】
請求項４または請求項５に記載の美容装置において、
前記ミスト供給口から供給された後、前記ミスト供給口または前記ミスト供給管内に残留したミストによる液滴を吸引するための吸引機構を備える美容器具。
【請求項７】
請求項１乃至請求項６のいずれかに記載の美容装置において、
温風を発生する温風発生機構と、
前記温風発生機構において発生した温風を装置外部へ供給するための温風供給口と、
をさらに備える美容装置。
【請求項８】
請求項７に記載の美容装置において、
前記温風発生機構は、
風を発生する送風機と、
前記送風機と前記温風供給口とを接続する供給管と、
前記送風機から発生する風を前記温風供給口へ供給する前段階で加熱するための熱供給機構と、
からなる美容装置。
【発明の詳細な説明】
【技術分野】
【０００１】
この発明は、人体に対して冷刺激を与える美容装置に関する。
【背景技術】
【０００２】
人体に対して冷刺激を与える装置としては、特許文献１に開示されているものがある。この装置は、人体に対して温刺激と冷刺激とを交互に与える温冷交互刺激装置であって、温刺激を与えるためのマイクロ波を与えるマイクロ波発生装置と、冷刺激を与えるための冷風を発生させる冷風発生装置と、マイクロ波および冷風を人体に対して放射する放射部と、マイクロ波と冷風とを交互に切り替える制御部とを備えている。このような装置によれば、人体に対する温刺激と冷刺激との切替を迅速に行うことができる。
【特許文献１】特開２００２−３３６２８８号
【発明の開示】
【発明が解決しようとする課題】
【０００３】
しかしながら、このような装置によって、迅速に温刺激から冷刺激へと切り替えたとしても、冷風のみによる冷刺激では、体表温度を急速に冷却させることは困難である。
【０００４】
この発明は、以上のような課題を解決するためになされたものであり、体表温度を急速に冷却させることが可能な美容装置を提供することを目的とする。
【課題を解決するための手段】
【０００５】
請求項１に記載の発明は、冷風を発生する冷風発生機構と、冷風を装置外部へ供給するための冷風供給口と、前記冷風発生機構と前記冷風供給口を接続する冷風供給管と、ミストを発生するためのミスト発生機構と、ミストを装置外部へ供給するためのミスト供給口と、前記ミスト発生機構と前記ミスト供給口とを接続するミスト供給管とを備えることを特徴とする。
【０００６】
請求項２に記載の発明は、請求項１に記載の美容装置において、前記冷風供給口と前記ミスト供給口とのいずれか一方は、他方の内部に配置される。
【０００７】
請求項３に記載の発明は、請求項２に記載の美容装置において、前記冷風供給口と前記ミスト供給口のうち外部に配置される供給口の先端は、内部に配置される供給口の先端よりも供給方向に突出して配置される。
【０００８】
請求項４に記載の発明は、請求項１に記載の美容装置において、前記冷風供給口は、前記ミスト供給口内に配置される。
【０００９】
請求項５に記載の発明は、請求項２に記載の美容装置において、前記ミスト供給口の内壁面と前記冷風供給口の内壁面とは、略同芯状に配置されるとともに、前記ミスト供給口の先端は、前記冷風供給口の先端よりも冷風の供給方向に突出して配置される。
【００１０】
請求項６に記載の発明は、請求項４または請求項５に記載の美容装置において、前記ミスト供給口から供給された後、前記ミスト供給口または前記ミスト供給管内に残留したミストによる液滴を吸引するための吸引機構を備える。
【００１１】
請求項７に記載の発明は、請求項１乃至請求項６のいずれかに記載の美容装置において、温風を発生する温風発生機構と、前記温風発生機構において発生した温風を装置外部へ供給するための温風供給口とをさらに備える。
【００１２】
請求項８に記載の発明は、請求項７に記載の美容装置において、前記温風発生機構は、風を発生する送風機と、前記送風機と前記温風供給口とを接続する供給管と、前記送風機から発生する風を前記温風供給口へ供給する前段階で加熱するための熱供給機構とからなる。
【発明の効果】
【００１３】
請求項１に記載の発明によれば、冷風を装置外部へ供給するための冷風供給口と、ミストを装置外部へ供給するためのミスト供給口とを備えることから、体表温度を急速に冷却させることが可能となる。
【００１４】
請求項２に記載の発明によれば、冷風供給口とミスト供給口とのいずれか一方は、他方の内部に配置されることから、冷風をミストと混合させた状態で、人体に供給することが可能となる。
【００１５】
請求項３に記載の発明によれば、冷風供給口とミスト供給口のうち外部に配置される供給口の先端は、内部に配置される供給口の先端よりも供給方向に突出して配置されることから、供給口内で冷風とミストとを効果的に混合させることが可能となる。
【００１６】
請求項４に記載の発明によれば、冷風供給口は、ミスト供給口内に配置されることから、冷風とミストとを混合させた状態で、人体に供給することが可能となる。
【００１７】
請求項５に記載の発明によれば、ミスト供給口の内壁面と冷風供給口の内壁面とは、略同芯状に配置されるとともに、ミスト供給口の先端は、冷風供給口の先端よりも冷風の供給方向に突出して配置されることから、ミスト供給口内で冷風とミストとを効果的に混合させることが可能となる。
【００１８】
請求項６に記載の発明によれば、ミスト供給口から供給された後、ミスト供給口またはミスト供給管内に残留したミストによる液滴を吸引するための吸引機構を備えることから、このような液滴が外部に飛散することを防止することが可能となる。
【００１９】
請求項７に記載の発明によれば、温風を発生する温風発生機構と、温風発生機構において発生した温風を装置外部へ供給するための温風供給口とをさらに備えることから、人体に対して温刺激と冷刺激との両方を与えることが可能となる。
【００２０】
請求項８に記載の発明によれば、温風発生機構は、風を発生する送風機と、送風機と温風供給口とを接続する供給管と、送風機から発生する風を温風供給口へ供給する前段階で加熱するための熱供給機構とからなることから、簡易な構成でありながら、人体に対して温刺激を与えることが可能となる。
【発明を実施するための最良の形態】
【００２１】
以下、この発明の実施の形態について図面に基づいて説明する。図１はこの発明に係る美容装置１の正面図であり、図２はその側面図である。
【００２２】
この発明に係る美容装置１は、ミストを装置外部へ供給するためのミスト供給口１１と、冷風を装置外部へ供給するための冷風供給口２１と、温風を装置外部へ供給するための温風供給口４１とを備える。
【００２３】
また、美容装置１内には、ミストを発生するミスト発生機構としてのミスト発生装置１３（図７参照）と、冷風を発生するための冷風発生機構としての冷風発生装置２３（図７参照）と、温風発生機構を構成する送風機４３（図７参照）とが備えられる。
【００２４】
そして、この発明に係る美容装置１は、さらにミスト発生装置１３とミスト供給口１１とを接続するミスト供給管１２と、冷風発生装置２３と冷風供給口２１とを接続する冷風供給管２２と、送風機４３と温風供給口４１とを接続する供給管４２とを備える。
【００２５】
このような美容装置１の構成により、ミストを人体に対して供給することができる。このため、冷風の温度があまり低くない場合においても、このミストが人体に供給されたときの気化熱によって、体表温度を急速に冷却させることが可能となる。また、この美容装置１は、ミスト供給口１１と温風供給口４１とを備えることから、人体に対して温刺激と冷刺激との両方を与えることが可能となる。
【００２６】
図３はこの発明に係る美容装置１におけるミスト供給口１１およびミスト供給管１２の要部を示す正面図であり、図４はその側断面図である。
【００２７】
ミスト供給管１２は、後述するミスト発生装置１３（図７参照）とミスト供給口１１とを接続する。このため、ミスト発生装置１３において発生したミストは、ミスト供給管１２を通過して、ミスト供給口１１から美容装置１外部へ供給される。
【００２８】
また、ミスト供給管１２は、距離調節機構を備える。この距離調節機構は、ミスト供給管１２に固定される距離調節部材１５により構成される。距離調節部材１５の先端は、ミスト供給口１１の先端よりもミストの供給方向に突出して配置される。これにより、人体に対して冷風を供給する場合に、人体と距離調節部材１５の先端とが当接し、人体とミスト供給口１１との間の適正な距離を確保することが可能となる。なお、この距離調節部材１５の先端のミスト供給口１１の先端からの突出は、１５ｃｍ程度であることが好ましい。
【００２９】
冷風供給管２２は、後述する冷風発生装置２３（図７参照）と冷風供給口２１とを接続する。このため、冷風発生装置２３において発生した冷風は、冷風供給管２２を通過して、冷風供給口２１から美容装置１外部へ供給される。
【００３０】
この冷風供給口２１は、ミスト供給口１１内に配置される。具体的には、ミスト供給口１１内に付設される冷風供給口保持部材１４により固定される。このとき、ミスト供給口１１の内壁面と冷風供給口２１の内壁面とは、略同芯状に配置される。また、ミスト供給口１１の先端は、冷風供給口２１の先端よりも冷風およびミストの供給方向に突出して配置される。このため、ミスト供給口１１内において、冷風とミストとを効果的に混合させることが可能となる。
【００３１】
また、美容装置１は、ミスト供給管１２内に挿通される液滴吸引管３１を備える。この液滴吸引管３１は、後述する吸引ポンプ３２（図７参照）と接続される。このため、ミスト供給口１１またはミスト供給管１２内に残留したミストによる液滴を吸引することが可能となる。これにより、このような液滴が装置の外部に飛散することを防止することが可能となる。
【００３２】
図５はこの発明に係る美容装置１における温風供給口４１および供給管４２の要部を示す正面図であり、図６はその側断面図である。
【００３３】
供給管４２は、後述する送風機４３（図７参照）と温風供給管４１とを接続する。このため、送風機４３において発生した風は、供給管４２を通過して、温風供給口４１から美容装置１外部へ供給される。
【００３４】
温風供給口４１と供給管４２との接続部付近には、熱供給機構としての赤外線ランプヒータ５１が配置されている。この赤外線ランプヒータ５１は、温風供給口４１内に付設される赤外線ランプヒータ保持部材４４により固定される。そして、赤外線ランプヒータ５１は、供給管４２内部に挿通されるケーブル５２を介して制御部７０（図７参照）に接続される。このため、送風機４３から発生する風を温風供給口へ供給する前段階で加熱することが可能となる。また、これにより、簡易な構成でありながら、人体に対して温刺激を与えることが可能となる。
【００３５】
また、供給管４２は、ミスト供給管１２と同様に、距離調節機構を備える。この距離調節機構は、供給管４２に固定される距離調節部材４５により構成される。距離調節部材４５の先端は、温風供給口４１の先端よりも温風の供給方向に突出して配置される。これにより、人体に対して温風を供給する場合に、人体と距離調節部材４５の先端とが当接し、人体と温風供給口４１との間の適正な距離を確保することが可能となる。なお、この距離調節部材４５の先端の温風供給口４１の先端からの突出は、１５ｃｍ程度であることが好ましい。
【００３６】
図７は、この発明に係る美容装置１の電気的構成を示すブロック図である。
【００３７】
操作パネル７０は、制御部６０と電気的に接続される。これにより、オペレータが、操作パネル７０において、入力した信号は、制御部６０に送信される。
【００３８】
制御部６０は、ミスト供給口１１に冷風を供給するためのミスト発生装置１３と、冷風供給口２１にミストを供給するための冷風発生装置２３と、ミスト供給口１１内の液滴を吸引するための吸引ポンプ３２と、温風供給口４１に温風を供給するための送風機４３および赤外線ランプヒータ５１とに電気的に接続される。
【００３９】
人体に対して冷刺激を与えるための信号を操作パネル７０において入力した場合には、ミスト発生装置１３、冷風発生装置２３および吸引ポンプ３２を同時に作動させることにより、人体に対して効果的に冷刺激を与えることが可能となる。
【００４０】
また、人体に対して温刺激を与えるための信号を操作パネル７０において入力した場合には、送風機４３および赤外線ランプヒータ５１を同時に作動させることにより、人体に対して効果的に温刺激を与えることが可能となる。
【００４１】
図８は、この発明に係る美容装置１を人体に対して使用する手順を示すフローチャートである。
【００４２】
まず、人体に対して冷風を供給するか否かを判断する（ステップＳ１）。
【００４３】
ステップＳ１において、冷風を供給する判断をした場合は、冷風供給口２１から人体に対して冷風を供給する（ステップＳ２）。そして、ステップＳ２における冷風の供給が終了すると、人体に対して温風を供給するか否かを判断する（ステップＳ３）。また、ステップＳ１において、冷風を供給しない判断をした場合には、人体に対して温風を供給するか否かを判断する（ステップＳ３）。
【００４４】
ステップＳ３において、温風を供給する判断をした場合は、温風供給口４１から人体に対して温風を供給する（ステップＳ４）。そして、ステップＳ４における温風の供給が終了すると、人体に対して更なる冷風または温風の供給を続行するか否かを判断する（ステップＳ５）。また、ステップＳ４において、温風を供給しない判断をした場合には、人体に対して更なる冷風または温風の供給を続行するか否かを判断する（ステップＳ５）。
【００４５】
ステップＳ５において、続行する判断をした場合には、再びステップＳ１乃至ステップＳ４の作業を繰り返す。また、ステップＳ５において、続行しない判断をした場合には、これら一連の作業を終了する。
【００４６】
なお、先に説明した実施形態においては、熱供給機構として赤外線ランプヒータ５１を使用することとしていたが、送風機４３から発生する風を熱するための部材であれば、他の部材を使用することとしてもよい。
【００４７】
また、先に説明した実施形態においては、冷風供給口２１は、ミスト供給口１１内に配置される構成としていたが、ミスト供給口１１が冷風供給口２１内に配置される構成としてもよい。この場合において、外部に配置される冷風供給口２１の先端は、内部に配置されるミスト供給口１１の先端よりも冷風およびミストの供給方向に突出して配置される。
【図面の簡単な説明】
【００４８】
【図１】この発明に係る美容装置１の正面図である。
【図２】この発明に係る美容装置１の側面図である。
【図３】この発明に係る美容装置１におけるミスト供給口１１およびミスト供給管１２の要部を示す正面図である。
【図４】この発明に係る美容装置１におけるミスト供給口１１およびミスト供給管１２の要部を示す側断面図
【図５】この発明に係る美容装置１における温風供給口４１および供給管４２の要部を示す正面図である。
【図６】この発明に係る美容装置１における温風供給口４１および供給管４２の要部を示す側断面図である。
【図７】この発明に係る美容装置１の電気的構成を示すブロック図である。
【図８】この発明に係る美容装置１を人体に対して使用する手順を示すフローチャートである。
【符号の説明】
【００４９】
１      美容装置
１１    ミスト供給口
１２    ミスト供給管
１３    ミスト発生装置
１４    冷風供給口保持部材
１５    距離調節部材
２１    冷風供給口
２２    冷風供給管
２３    冷風発生装置
３１    液滴吸引管
４１    温風供給口
４２    供給管
４３    送風機
４４    赤外線ランプヒータ保持部材
４５    距離調節部材
５１    赤外線ランプヒータ
５２    ケーブル
６０    制御部
７０    操作パネル
【図１】
2005058593.tif 000003
【図２】
2005058593.tif 000004
【図３】
2005058593.tif 000005
【図４】
2005058593.tif 000006
【図５】
2005058593.tif 000007
【図６】
2005058593.tif 000008
【図７】
2005058593.tif 000009
【図８】
2005058593.tif 000010